(57)【要約】【課題】管理者が管理するコンピュータに対して、ユーザがＰＣを利用できる日時と利用するユーザを設定し、ＰＣの利用を管理するコンピュータ利用管理システムを提供する。【解決手段】コンピュータ利用管理システムは、管理コンピュータ１とユーザコンピュータ２とから構成される。管理者は、管理コンピュータ１を用いて、ユーザコンピュータ２を利用できる日時が記述された利用許可時間と、利用許可時間の間にユーザコンピュータ２を利用できるユーザを示すユーザＩＤとを含む管理情報を、ユーザコンピュータ２ごとに作成し、作成した管理情報をそれぞれのユーザコンピュータ２に配信する。ユーザコンピュータ２は、ユーザが所持するＩＣタグ５からユーザＩＤを取得し、管理コンピュータ１から配信された管理情報の内容に従い、ユーザコンピュータ２の利用を管理する。【選択図】図１
2008071090.tif 000002
【特許請求の範囲】
【請求項１】
コンピュータの利用を管理するコンピュータ利用管理システムであって、前記コンピュータ利用管理システムは、ユーザが利用するコンピュータであるユーザコンピュータと、前記ユーザコンピュータの利用を管理するコンピュータである管理コンピュータとから、少なくとも構成され、前記管理コンピュータは、前記ユーザコンピュータを利用できる日時が記述された利用許可時間と、前記利用許可時間で示される時間内に前記ユーザコンピュータを利用できるユーザを示すユーザＩＤとを含む管理情報を、前記ユーザコンピュータに配信する手段を備え、前記ユーザコンピュータは、前記管理コンピュータから配信された前記管理情報を記憶する手段と、前記管理情報に従い前記ユーザコンピュータの利用を管理するコンピュータ利用管理手段とを備え、前記ユーザコンピュータに備えられた前記コンピュータ利用管理手段は、前記ユーザコンピュータを利用するユーザから前記ユーザＩＤを取得するユーザＩＤ取得部を備え、前記ユーザコンピュータに記憶している前記管理情報の中から、前記ユーザＩＤ取得部が取得した前記ユーザＩＤを含む前記管理情報を検索し、検索した前記管理情報に含まれる前記利用許可時間の間は、前記ユーザコンピュータの画面のロックを解除し、それ以外の間は画面をロックすることを特徴とするコンピュータ利用管理システム。
【請求項２】
請求項１に記載のコンピュータ利用管理システムであって、前記ユーザコンピュータのユーザは、前記ユーザＩＤが記憶された情報記憶デバイスを有し、前記ユーザコンピュータの前記コンピュータ利用管理手段は、前記ユーザＩＤ取得部として、前記情報記憶デバイスから前記ユーザＩＤを読取るリーダライタを備えていることを特徴とするコンピュータ利用管理システム。
【請求項３】
請求項２の発明に記載のコンピュータ利用管理システムであって、前記情報記憶デバイスはＩＣタグであることを特徴とするコンピュータ利用管理システム。
【請求項４】
請求項３の発明に記載のコンピュータ利用管理システムであって、前記コンピュータ管理手段は、前記ユーザコンピュータの画面のロックを解除している間に、前記ユーザコンピュータの画面をロックする信号を検知したときは、前記ユーザコンピュータの画面をロックすることを特徴とするコンピュータ利用管理システム。
【請求項５】
請求項４の発明に記載のコンピュータ利用管理システムであって、前記ユーザコンピュータの画面をロックする信号は、前記コンピュータ管理手段は、前記ユーザコンピュータの特定のキーが押された信号、或いは、前記リーダライタが前記ＩＣタグと通信できなくなったことを意味する信号であることを特徴とするコンピュータ利用管理システム。
【請求項６】
請求項２から請求項５のいずれかに記載のコンピュータ利用管理システムであって、前記管理情報には、前記ユーザＩＤと１対１の関係で設定される非常用ＩＤと非常用パスワードとが含まれ、前記ユーザコンピュータに備えられた前記コンピュータ管理手段の前記ユーザＩＤ取得部は、前記管理コンピュータからの指示されたときに、ユーザが入力した前記非常用ＩＤと前記非常用パスワードを含む前記管理情報を検索し、前記管理情報が検索されたときは、検索された前記管理情報から前記ユーザＩＤを取得することを特徴とするコンピュータ利用管理システム。
【請求項７】
請求項１から請求項６のいずれかに記載のコンピュータ利用管理システムであって、前記管理コンピュータおよび前記ユーザコンピュータは、タイムサーバと時刻を同期する時刻同期手段を備えていることを特徴とするコンピュータ利用管理システム。
【請求項８】
コンピュータの利用を管理するコンピュータ利用管理方法であって、前記コンピュータ利用管理方法は、ユーザが利用するコンピュータであるユーザコンピュータを利用できる日時が記述された利用許可時間と、前記利用許可時間で示される時間内に前記ユーザコンピュータを利用できるユーザを示すユーザＩＤとを含む管理情報を作成し、前記ユーザコンピュータに配信する第１の工程と、前記管理情報に従い前記ユーザコンピュータの利用を管理する第２の工程とを含み、前記第２の工程は、前記ユーザコンピュータを利用するユーザから前記ユーザＩＤを取得するステップａ、前記ユーザコンピュータに記憶している前記管理情報の中から、前記ユーザＩＤ取得手段が取得した前記ユーザＩＤを含む前記管理情報を検索するステップｂ、前記ステップｂで検索した前記管理情報に含まれる前記利用許可時間を確認し、前記利用許可時間で示される時間内は前記ユーザコンピュータの画面のロックを解除し、それ以外の間は画面をロックするステップｃとを備えていることを特徴とするコンピュータ利用管理方法。
【請求項９】
請求項８に記載のコンピュータ利用管理方法であって、前記ユーザコンピュータのユーザは、前記ユーザＩＤが記憶された情報記憶デバイスを有し、前記ステップａは、前記情報記憶デバイスから前記ユーザＩＤを読取るステップであることを特徴とするコンピュータ利用管理方法。
【請求項１０】
請求項９に記載のコンピュータ利用管理方法であって、前記ステップｃでは、前記ユーザコンピュータの画面のロックを解除している間に、前記ユーザコンピュータの画面をロックする信号を検知したとき、前記ユーザコンピュータの画面をロックすることを特徴とするコンピュータ利用管理方法。
【発明の詳細な説明】
【技術分野】
【０００１】
本発明は、コンピュータの利用を管理するシステムおよび方法に関する。
【背景技術】
【０００２】
パーソナルコンピュータ（以下、PC: Personal Computer）を利用した授業や、ＰＣを利用したテストを学校で行うとき、ＰＣの管理者は、ＰＣの利用日時やＰＣを利用するユーザを制限することが必要となる。
【０００３】
ＰＣの利用を制限する一つの発明として、特許文献１では、コンテンツを閲覧できる期間や時間などを記述した制御情報をコンテンツに付与し、コンテンツを閲覧できる時間を制限する方法が開示されている。
【０００４】
しかし、この技術は、コンテンツの著作権を保護するために、コンテンツの閲覧期間や閲覧時間を制限するための技術であって、ＰＣ本体を利用できる利用日時やＰＣを利用するユーザを制限できる技術ではない。
【０００５】
また、ＰＣを利用するユーザを制限する一つの発明として、特許文献２では、入退室ゲート装置と連動し、予め許可されたユーザが在室しているときのみ、このユーザが使用する電気機器（例えば、ＰＣ）の電源をＯＮにする発明が開示されている。
【０００６】
しかし、この発明では、ユーザが在室している間、ユーザは日時を問わずＰＣを利用でき、ＰＣの管理者が、ユーザがＰＣを利用できる日時を設定することはできない。
【特許文献１】特開２００４−５００８号公報
【特許文献２】特開２００６−７２４４６号公報
【発明の開示】
【発明が解決しようとする課題】
【０００７】
そこで、本発明は、ＰＣの管理者が管理する複数のＰＣそれぞれに対して、ユーザがＰＣを利用できる日時と利用するユーザを設定し、ＰＣの利用を管理することができるコンピュータ利用管理システムおよび方法を提供することを目的とする。
【課題を解決するための手段】
【０００８】
上述した課題を解決する第１の発明は、コンピュータの利用を管理するコンピュータ利用管理システムであって、前記コンピュータ利用管理システムは、ユーザが利用するコンピュータであるユーザコンピュータと、前記ユーザコンピュータの利用を管理するコンピュータである管理コンピュータとから、少なくとも構成され、前記管理コンピュータは、前記ユーザコンピュータを利用できる日時が記述された利用許可時間と、前記利用許可時間で示される時間内に前記ユーザコンピュータを利用できるユーザを示すユーザＩＤとを含む管理情報を、前記ユーザコンピュータに配信する手段を備え、前記ユーザコンピュータは、前記管理コンピュータから配信された前記管理情報を記憶する手段と、前記管理情報に従い前記ユーザコンピュータの利用を管理するコンピュータ利用管理手段とを備え、前記ユーザコンピュータに備えられた前記コンピュータ利用管理手段は、前記ユーザコンピュータを利用するユーザから前記ユーザＩＤを取得するユーザＩＤ取得部を備え、前記ユーザコンピュータに記憶している前記管理情報の中から、前記ユーザＩＤ取得部が取得した前記ユーザＩＤを含む前記管理情報を検索し、検索した前記管理情報に含まれる前記利用許可時間の間は、前記ユーザコンピュータの画面のロックを解除し、それ以外の間は画面をロックすることを特徴とする。
【０００９】
更に、第２の発明は、第１の発明に記載のコンピュータ利用管理システムであって、前記ユーザコンピュータのユーザは、前記ユーザＩＤが記憶された情報記憶デバイスを有し、前記ユーザコンピュータの前記コンピュータ利用管理手段は、前記ユーザＩＤ取得部として、前記情報記憶デバイスから前記ユーザＩＤを読取るリーダライタを備えていることを特徴とする。
【００１０】
更に、第３の発明は、第２の発明に記載のコンピュータ利用管理システムであって、前記情報記憶デバイスはＩＣタグであることを特徴とする。
【００１１】
更に、第４の発明は、第３の発明に記載のコンピュータ利用管理システムであって、前記コンピュータ管理手段は、前記ユーザコンピュータの画面のロックを解除している間に、前記ユーザコンピュータの画面をロックする信号を検知したときは、前記ユーザコンピュータの画面をロックすることを特徴とする。
【００１２】
更に、第５の発明は、第４の発明に記載のコンピュータ利用管理システムであって、前記ユーザコンピュータの画面をロックする信号は、前記コンピュータ管理手段は、前記ユーザコンピュータの特定のキーが押された信号、或いは、前記リーダライタが前記ＩＣタグと通信できなくなったことを意味する信号であることを特徴とする。
【００１３】
更に、第６の発明は、第２の発明から第５の発明のいずれかに記載のコンピュータ利用管理システムであって、前記管理情報には、前記ユーザＩＤと１対１の関係で設定される非常用ＩＤと非常用パスワードとが含まれ、前記ユーザコンピュータに備えられた前記コンピュータ管理手段の前記ユーザＩＤ取得部は、前記管理コンピュータからの指示されたときに、ユーザが入力した前記非常用ＩＤと前記非常用パスワードを含む前記管理情報を検索し、前記管理情報が検索されたときは、検索された前記管理情報から前記ユーザＩＤを取得することを特徴とする。
【００１４】
更に、第７の発明は、第１の発明から第６の発明のいずれかに記載のコンピュータ利用管理システムであって、前記管理コンピュータおよび前記ユーザコンピュータは、タイムサーバと時刻を同期する時刻同期手段を備えていることを特徴とする。
【００１５】
更に、第８の発明は、コンピュータの利用を管理するコンピュータ利用管理方法であって、前記コンピュータ利用管理方法は、ユーザが利用するコンピュータであるユーザコンピュータを利用できる日時が記述された利用許可時間と、前記利用許可時間で示される時間内に前記ユーザコンピュータを利用できるユーザを示すユーザＩＤとを含む管理情報を作成し、前記ユーザコンピュータに配信する第１の工程と、前記管理情報に従い前記ユーザコンピュータの利用を管理する第２の工程とを含み、前記第２の工程は、前記ユーザコンピュータを利用するユーザから前記ユーザＩＤを取得するステップａ、前記ユーザコンピュータに記憶している前記管理情報の中から、前記ユーザＩＤ取得手段が取得した前記ユーザＩＤを含む前記管理情報を検索するステップｂ、前記ステップｂで検索した前記管理情報に含まれる前記利用許可時間を確認し、前記利用許可時間で示される時間内は前記ユーザコンピュータの画面のロックを解除し、それ以外の間は画面をロックするステップｃとを備えていることを特徴とする。
【００１６】
更に、第９の発明は、第８の発明に記載のコンピュータ利用管理方法であって、前記ユーザコンピュータのユーザは、前記ユーザＩＤが記憶された情報記憶デバイスを有し、前記ステップａは、前記情報記憶デバイスから前記ユーザＩＤを読取るステップであることを特徴とする。
【００１７】
更に、第１０の発明は、第９の発明に記載のコンピュータ利用管理方法であって、前記ステップｃでは、前記ユーザコンピュータの画面のロックを解除している間に、前記ユーザコンピュータの画面をロックする信号を検知したとき、前記ユーザコンピュータの画面をロックすることを特徴とする。
【発明の効果】
【００１８】
上述した本発明によれば、前記ユーザコンピュータを利用できる日時が記述された利用許可時間と、前記利用許可時間で示される時間内に前記ユーザコンピュータを利用できるユーザを示すユーザＩＤとを含む前記管理情報を、前記ユーザコンピュータごとに設定し、前記管理情報に従い前記ユーザコンピュータの利用を管理することで、前記ユーザコンピュータの管理者は前記ユーザコンピュータごとに、利用できる日時と利用するユーザを設定し利用を管理することができる。
【００１９】
加えて、前記ユーザＩＤをＩＣタグなどの情報記憶デバイスに格納しておき、前記情報記憶デバイスを社員証や学生証などにすることで、ユーザの利便性を高めることができる。
【００２０】
加えて、前記ユーザコンピュータの画面のロックを解除している間に、前記ユーザコンピュータの画面をロックする信号を検知したとき、前記ユーザコンピュータの画面をロックすることで、ユーザが前記ユーザコンピュータから離れるときに、前記ユーザコンピュータの悪用を防止することができる。
【００２１】
加えて、前記管理情報に前記非常用ＩＤと前記非常用パスワードとを含ませることで、ユーザが前記情報記憶デバイスを忘れたときなどであっても、前記ユーザコンピュータの利用を可能とすることができる。
【発明を実施するための最良の形態】
【００２２】
ここから、本発明に係るコンピュータ利用管理システムについて、図を参照しながら詳細に説明する。図１は、コンピュータ利用管理システムを説明するための図である。
【００２３】
図１に示したように、本発明に係るコンピュータ利用管理システムは、管理者が利用するコンピュータである一台の管理コンピュータ１と、ユーザが利用する複数台のユーザコンピュータ２とから構成され、管理コンピュータ１とそれぞれのユーザコンピュータ２はＬＡＮ４を介して接続されている。
【００２４】
管理者は、管理コンピュータ１を用いて、ユーザコンピュータ２を利用できる日時が記述された利用許可時間と、利用許可時間の間にユーザコンピュータ２を利用できるユーザを示すユーザＩＤとを含む管理情報を、ユーザコンピュータ２ごとに作成し、作成した管理情報をそれぞれのユーザコンピュータ２に配信する。
【００２５】
ユーザコンピュータ２は、管理コンピュータ１から配信された管理情報を記憶し、管理情報の内容に従い、ユーザコンピュータ２の利用を管理する。
【００２６】
ユーザコンピュータ２を利用するユーザはＩＣタグ５を所持し、このＩＣタグ５にはユーザを識別するための情報であるユーザＩＤが記憶され、ユーザコンピュータ２には、ユーザコンピュータ２を利用するユーザが所持するＩＣタグ５と通信する装置であるリーダライタ２３が備えられている。
【００２７】
ユーザがユーザコンピュータ２を利用するとき、ユーザコンピュータ２は、リーダライタ２３を用いてＩＣタグ５からユーザＩＤを取得し、取得したユーザＩＤが含まれる管理情報を検索する。管理情報が検索されたとき、ユーザコンピュータ２は、ユーザコンピュータ２の内部時刻を確認し、内部時刻が、取得したユーザＩＤを含む管理情報の利用許可時間に含まれる場合、ユーザコンピュータ２の画面のロックを解除し、ユーザコンピュータ２の利用を許可する。
【００２８】
なお、ＬＡＮ４にはタイムサーバ３が設置され、ＮＴＰプロトコル（NTP: Network Time Protocol）を利用することで、管理コンピュータ１およびそれぞれのユーザコンピュータ２の内部時刻は、タイムサーバ３の時刻と同期し、管理コンピュータ１の内部時刻とユーザコンピュータ２の内部時刻の差によるトラブルを防いでいる。
【００２９】
図２は、コンピュータ利用管理システムのブロック図である。図２では、ユーザコンピュータ２を一台のみしか図示していないが、図１に示すように、実際は、複数台のユーザコンピュータ２がＬＡＮ４に接続されている。
【００３０】
図２に示したように、管理コンピュータ１には、それぞれのコンピュータに配信する管理情報を作成する管理情報作成手段１０と、作成した管理情報を記憶するための情報記憶手段１１と、タイムサーバの時刻に同期する時刻同期手段１２とを備えている。
【００３１】
図３は、情報記憶手段１１に記憶される情報を説明する図で、図３に示したように情報記憶手段には、管理コンピュータ１に接続されたユーザコンピュータ２ごとに固有なアドレス（例えば、ＭＡＣアドレスやＩＰアドレス）に関連付けて、アドレスで特定されるユーザコンピュータ２の管理情報ファイルが生成され、作成した管理情報はこの管理情報ファイルに記憶される。
【００３２】
図４は、管理情報ファイルに記憶される管理情報を説明するための図である。図４（ａ）は、あるユーザコンピュータ２の利用予約状況を説明する図で、２００６年８月１日には、９：００から１２：００までと、１３：３０から１６：００までに、ユーザコンピュータ２を利用される管理情報が設定され、２００６年８月２日には、１０：３０から１２：００までと、１３：３０から１５：００までと、そして、１５：００から１６：００までに、それぞれ利用予約が設定され、これ以外の時間帯において、ユーザコンピュータ２に利用予約は設定されていない。
【００３３】
図４（ｂ）は、図４（ａ）で示した利用予約状況に対応する管理情報ファイルの一部を記述した図で、管理情報ファイルには、ユーザコンピュータ２の利用を管理するときに用いられる管理情報が、ユーザコンピュータ２が利用予約ごとに記述される。
【００３４】
図５は、管理情報を説明する図である。一つの管理情報には、ユーザコンピュータ２を利用する目的に加え、ユーザコンピュータ２の利用を許可するユーザを示すユーザＩＤが記述され、ユーザコンピュータ２を利用できる日時が記述された利用許可時間として、ユーザコンピュータ２の利用開始時刻および利用終了時刻が記述され、非常時に利用する情報として非常用ＩＤおよび非常用パスワードが記述されている。なお、ユーザＩＤ、非常用ＩＤ、非常用パスワードはそれぞれ1対1の関係で、ユーザの数だけ設定されている。
【００３５】
管理情報に記憶されたこれらの情報は、後述するように、ユーザコンピュータ２に備えられたコンピュータ管理手段２０によって参照され、ユーザコンピュータ２の利用管理に用いられる。
【００３６】
管理コンピュータ１の管理情報作成手段１０は、管理コンピュータ１のＣＰＵを動作させるためのコンピュータプログラムで実現され、管理情報を新規作成する機能、管理情報ファイルに記憶された管理情報の内容を変更する機能を有する。
【００３７】
管理コンピュータ１の管理情報作成手段１０は、新規に管理情報が作成されたり、管理情報ファイルに記憶された管理情報の内容が変更されると、作成または変更された管理情報を対応するユーザコンピュータ２に対し配信する。
【００３８】
管理コンピュータ１の時刻同期手段１２は、ネットワークを介して時刻合わせを行うためのＮＴＰプロトコルを実現するためのコンピュータプログラムで実現され、この時刻同期手段１２が動作することで、ユーザコンピュータ２内の時刻はタイムサーバ３の時刻に同期する。
【００３９】
ここから、ユーザコンピュータ２の説明に移る。ユーザコンピュータ２には、管理コンピュータ１から配信される管理情報の内容を記憶する情報記憶手段２１と、情報記憶手段２１に記憶された管理情報を利用してユーザコンピュータ２の利用を管理するコンピュータ管理手段２０と、ユーザコンピュータ２の内部時刻をタイムサーバ３の時刻に同期させる時刻同期手段２２と、ユーザが所持するＩＣタグ５と通信するリーダライタ２３とを備える。
【００４０】
ユーザコンピュータ２の時刻同期手段２２は、ネットワークを介して時刻合わせを行うためのＮＴＰプロトコルを実現するためのコンピュータプログラムで実現され、この時刻同期手段２２が動作することで、ユーザコンピュータ２内の時刻はタイムサーバ３の時刻に同期する。
【００４１】
ユーザコンピュータ２の情報記憶手段２１は、ハードディスクなどの情報記憶装置で実現され、管理コンピュータ１と同様に、管理情報を記憶するための管理情報ファイルが生成されている。
【００４２】
ユーザコンピュータ２のコンピュータ管理手段２０は、ユーザコンピュータ２のＣＰＵを動作させるためのコンピュータプログラムで実現され、ユーザコンピュータ２の内部に常駐する常駐プログラムで、管理情報ファイルに管理情報を登録する機能と、管理情報ファイルに記憶された管理情報に従いユーザコンピュータ２の利用を管理する機能を備えている。
【００４３】
コンピュータ管理手段２０は、管理コンピュータ１から管理情報を受信すると、新規の管理情報の場合は、情報記憶手段２１に記憶された管理情報ファイルに管理情報を追加し、既に記憶している管理情報の場合は、情報記憶手段２１に記憶された管理情報ファイルの内容を受信した管理情報の内容に変更する。
【００４４】
コンピュータ管理手段２０が動作開始すると、コンピュータ管理手段２０はユーザコンピュータ２の画面をロックする。ユーザコンピュータ２の利用を管理するとき、ユーザが所持するＩＣタグ５からユーザＩＤを読取り、読取ったユーザＩＤで特定されるユーザに対して、ユーザコンピュータ２の利用が許可されているか確認する。
【００４５】
ユーザが所持するＩＣタグ５からユーザＩＤを読取る機能はリーダライタ２３の役割で、リーダライタ２３は一定間隔ごとにＩＣタグ５を検出するための電波を発信し、リーダライタ２３に近接されたＩＣタグ５からユーザＩＤを読取り、読取ったユーザＩＤをコンピュータ管理手段２０に受渡しする。
【００４６】
読取ったユーザＩＤで特定されるユーザに対して、ユーザコンピュータ２の利用が許可されているかを確認するために、コンピュータ管理手段２０は、情報記憶手段２１の管理情報ファイルに記憶された管理情報の中から、リーダライタ２３が読取ったユーザＩＤを含む管理情報を検索する機能を備えている。
【００４７】
リーダライタ２３が読取ったユーザＩＤを含む管理情報が検索された場合は、コンピュータ管理手段２０は、ユーザに許可された時間内であるか確認する。ユーザに許可された時間内であるか確認するために、コンピュータ管理手段２０は、ユーザコンピュータ２の内部時刻と、検索された管理情報の利用許可時間とを参照し、ユーザコンピュータ２の内部時刻が検索された管理情報の利用許可時間で示される時間内であることを確認する。
【００４８】
ユーザコンピュータ２の内部時刻がユーザに許可された時間内であれば、ユーザコンピュータ２の画面のロックを解除し、ユーザコンピュータ２の利用を許可する。そして、コンピュータ管理手段２０は、ユーザコンピュータ２の画面のロックを解除した後、ユーザコンピュータ２の内部時刻を一定時間ごとに監視し、ユーザコンピュータ２の内部時刻が、検索された管理情報の利用許可時間外になったとき、ユーザコンピュータ２の画面をロックする。
【００４９】
更に、コンピュータ管理手段２０は、ユーザの操作によって、ユーザコンピュータ２の画面をロックする機能をも備えている。コンピュータ管理手段２０は、ユーザコンピュータ２の画面をロックする操作を実行した信号を受信すると、ユーザコンピュータ２の内部時刻が、検索された管理情報の利用許可時間内であったとときでも、ユーザコンピュータ２の画面をロックする。
【００５０】
ユーザコンピュータ２の画面をロックする操作としては、ユーザコンピュータ２の所定のキーをユーザが押す操作や、ＩＣタグ５がリーダライタから外す操作とすることができる。ユーザコンピュータ２の画面をロックする操作にＩＣタグ５を利用するとき、リーダライタ２３は一定時間ごとにＩＣタグ５を検出する電波を発信し、ＩＣタグ５を検出できなくなったことを検知することで、ユーザコンピュータ２は、ユーザがＩＣタグ５をリーダライタから外したことを検知する。
【００５１】
更に、上述したコンピュータ利用管理システムは、ユーザが所持するＩＣタグ５が破損しているとき、或いは、ユーザがＩＣタグ５を携帯していないときに対応できる機能を備えている。
【００５２】
ユーザがＩＣタグ５を携帯していないときは、ＩＣタグ５の代わりに、図５で示した非常用パスワードと非常用ＩＤを用いてユーザを認証し、ユーザＩＤを管理情報から取得する。
【００５３】
ユーザコンピュータ２に備えられたコンピュータ管理手段２０は、管理コンピュータ１から指示を受けたとき、ユーザが非常用パスワードと非常用ＩＤを入力する画面を表示し、この画面に入力された非常用パスワードと非常用ＩＤを取得する。
【００５４】
そして、入力された非常用ＩＤおよび非常用パスワードとが含まれる管理情報を検索し、管理情報が検索されたときのみ、その管理情報からユーザＩＤを取得し、ユーザコンピュータ２の利用を管理する。
【００５５】
ここから、上述したコンピュータ管理システムを例にとりながら、本発明に係るコンピュータ利用管理方法について説明する。図６は、管理情報を作成する第１の工程を示したフロー図で、図７は、管理情報に従いユーザコンピュータ２の利用を管理する第２の工程を示したフロー図である。
【００５６】
まず、図６を参照しながら、管理情報を作成する第１の工程について説明する。第１の工程の最初のステップＳ１は、ユーザコンピュータ２を管理するための情報である管理情報を作成するステップである。
【００５７】
このステップＳ１では、管理コンピュータ１の管理情報作成手段１０を利用することで、ユーザコンピュータ２の管理者は管理情報を作成し、この管理情報には、ユーザコンピュータ２の利用が許可される日時を示す利用許可日時、利用許可日時で示される時間内でのユーザコンピュータ２の利用が許可されるユーザのユーザＩＤなどが記述される。
【００５８】
次のステップは、ステップＳ２で作成された管理情報をユーザコンピュータ２に配信するステップである。このステップＳ２では、管理コンピュータ１は、ステップＳ１で作成された管理情報を管理コンピュータ１に備えられた情報記憶手段１１の管理情報ファイルに記憶すると共に、管理情報ファイルと関連付けて記憶しているアドレスに配信する。
【００５９】
次のステップＳ３は、管理コンピュータ１から配信された管理情報をユーザコンピュータ２が記憶するステップである。このステップＳ３では、ユーザコンピュータ２は、ステップＳ２で管理コンピュータ１から配信された管理情報を、ユーザコンピュータ２の管理情報ファイルに記憶する。
【００６０】
このステップＳ３をもって、管理情報を作成する第１の工程は終了する。
【００６１】
次に、図７を参照しながら、管理情報に従いユーザコンピュータ２の利用を管理する第２の工程について説明する。図７で示したフローが、ユーザコンピュータ２で一定時間ごとに繰返し実行されることで、ユーザコンピュータ２の利用が管理される。
【００６２】
第２の工程の最初のステップＳ１０は、ユーザコンピュータ２が起動するステップである。このステップで、ユーザコンピュータ２の電源が投入されると、ユーザコンピュータ２に備えられたコンピュータ管理手段２０が動作を開始し、ユーザコンピュータ２の画面をロックする。
【００６３】
次のステップＳ１１は、ユーザが所持するＩＣタグ５に記憶されたユーザＩＤを読取るステップである。リーダライタ２３は一定間隔ごとにＩＣタグ５を検出するための電波を発信し、リーダライタ２３に近接されたＩＣタグ５から、ＩＣタグ５に記憶されたユーザＩＤを読取る。
【００６４】
次のステップＳ１２は、ＩＣタグ５からユーザＩＤが読取れたか確認するステップである。このステップでは、ＩＣタグ５からユーザＩＤが読取れない場合はステップＳ１１に戻り、ＩＣタグ５からユーザＩＤが読取れた場合はステップＳ１３を実行する。
【００６５】
ＩＣタグ５からユーザＩＤが読取れた場合に実行されるステップＳ１３は、ユーザコンピュータ２のコンピュータ管理手段２０が、ユーザコンピュータ２の情報記憶手段２１に記憶された管理情報ファイルに含まれる管理情報の中から、ステップＳ１１でＩＣタグ５から読取ったユーザＩＤを含む管理情報を検索するステップである。
【００６６】
ステップＳ１１で取得したユーザＩＤを含む管理情報を検索することで、ユーザＩＤで特定されるユーザに対し、ユーザコンピュータ２の利用が許可されているか確認できる。
【００６７】
次のステップＳ１４は、ステップＳ１１で取得したユーザＩＤを含む管理情報が検索できたか確認するステップである。このステップでは、ステップＳ１１で取得したユーザＩＤを含む管理情報が検索できた場合はステップＳ１５を実行し、ステップＳ１１で取得したユーザＩＤを含む管理情報が検索できなかった場合はステップＳ１１に戻る。
【００６８】
管理情報が検索できた場合に実行されるステップＳ１５は、ユーザコンピュータ２の内部時刻を取得するステップである。このステップでは、ユーザコンピュータ２のコンピュータ管理手段２０はユーザコンピュータ２の内部時刻を取得する。なお、ユーザコンピュータ２の内部時刻は、時刻同期手段２２によって、タイムサーバ３の時刻と同期がとられている。
【００６９】
次のステップＳ１６は、コンピュータの内部時刻が、ステップＳで検索した管理情報に含まれる利用許可時間内であるか確認するステップである。ステップＳ１５で取得した内部時刻が利用許可時間内である場合はステップＳ１７に進み、ステップＳ１５で取得した内部時刻が利用許可時間外である場合はステップＳに戻る。
【００７０】
ステップＳ１５で取得した内部時刻が利用許可時間内である場合に実行されるステップＳ１７では、ユーザコンピュータ２のコンピュータ管理手段２０は、ユーザコンピュータ２の画面のロック動作を行わず、ユーザに対してユーザコンピュータ２の利用を許可する。
【００７１】
ステップＳ１７の後に実行されるステップＳ１８は、ユーザコンピュータ２の内部時刻がを取得するステップである。ステップＳ１９は、ユーザコンピュータ２の内部時刻が、ステップＳ１３で検索した管理情報に含まれる利用許可時間内であるか確認するステップである。ステップＳ１８で取得した内部時刻が利用許可時間内である場合は、一定時間が経過した後にステップＳ１８に戻り、ステップＳ１８で取得した内部時刻が利用許可時間外である場合はステップＳ２０に進む。
【００７２】
また、ステップＳ１８およびステップＳ１９が繰返し実行されている間、ユーザが画面をロックする操作を実行した信号が入力されると（ステップＳ２１）、コンピュータの内部時刻が、ステップＳ１３で検索した管理情報に含まれる利用許可時間内であるかに係らず、ステップＳ２０に進む。
【００７３】
ここで、画面をロックする操作とは、ユーザが予め定められたキーを押す操作であったり、ユーザがＩＣタグ５をリーダライタから外す操作である。
【００７４】
ステップＳ１８で取得した内部時刻が利用許可時間外であるとき、或いは、ユーザが画面をロックする操作を実行されたときに実行されるステップＳ２０は、ユーザコンピュータ２のコンピュータ管理手段２０は、ユーザコンピュータ２の画面のロックを行う。なお、このステップＳ２０が実行された後は、ステップＳ１１に戻る。
【００７５】
なお、ステップＳ１３で複数の管理情報が検索された場合、ステップＳ１５およびステップＳ１６では、検索された管理情報それぞれについて、利用許可時間が確認される。なお、利用許可時間が過ぎてしまった管理情報については、ユーザコンピュータ２の情報記憶手段２２から削除するなどして、ステップＳ１３で検索されないようにすることが望ましい。
【００７６】
これまで説明した図７のステップＳ１１以降で、ユーザコンピュータ２を立ち下げる信号を受信したとき（ステップＳ２２）、ユーザコンピュータ２のコンピュータ管理手段２０は終了し、この手順は終了する。
【図面の簡単な説明】
【００７７】
【図１】コンピュータ利用管理システムを説明するための図。
【図２】コンピュータ利用管理システムのブロック図。
【図３】管理コンピュータの情報記憶手段に記憶される情報を説明する図。
【図４】管理情報ファイルに記憶される管理情報を説明するための図。
【図５】管理情報を説明する図。
【図６】管理情報を作成する第１の工程のフロー図。
【図７】管理情報に従いユーザコンピュータの利用を管理する第２の工程のフロー図。
【符号の説明】
【００７８】
１  管理コンピュータ
１０  管理情報作成手段、１１  情報記憶手段、１２  時刻同期手段
２  ユーザコンピュータ
２０  管理情報作成手段、２１  情報記憶手段、２２  時刻同期手段
２３  リーダライタ
３  タイムサーバ
４  ＬＡＮ
５  ＩＣタグ
【図１】
2008071090.tif 000003
【図２】
2008071090.tif 000004
【図３】
2008071090.tif 000005
【図４】
2008071090.tif 000006
【図５】
2008071090.tif 000007
【図６】
2008071090.tif 000008
【図７】
2008071090.tif 000009